(57)【要約】【課題】  受信中継段での受信状態を映像表示化し、その情報を画像圧縮して他の受信段に適切に伝送し、表示することのできる伝送システムの実現。【解決手段】  デジタル化した映像信号を少なくとも１段中継して伝送するデジタル伝送システムにおいて、所定の受信中継段に、当該受信中継段における受信状態を映像表示化する手段と、該受信状態映像表示化信号を圧縮符号化し他の受信段に伝送する手段を設け、他の受信段に、伝送された圧縮符号化された映像情報を復号し、該復号化した映像情報を表示する手段を有する伝送システムである。【選択図】  図１
2005136764.tif 000002
【特許請求の範囲】
【請求項１】
デジタル化した映像信号を少なくとも１段中継して伝送するデジタル伝送システムにおいて、所定の受信中継段に、当該受信中継段における受信状態を映像表示化する手段と、該受信状態映像表示化信号を圧縮符号化し他の受信段に伝送する手段を設け、上記他の受信段に、伝送された上記圧縮符号化された映像情報を復号し、該復号化した映像情報を表示する手段を有することを特徴とする伝送システム。
【請求項２】
請求項１記載の伝送システムにおいて、上記所定の受信中継段は、複数系統からの伝送信号を受信、選択する手段と、各系統の受信状態を映像表示化する手段と、選択された当該映像表示化信号を圧縮符号化し他の受信段に伝送する手段を有することを特徴とする伝送システム。
【請求項３】
請求項１記載の伝送システムにおいて、上記所定の受信中継段は、当該受信中継段における受信状態を映像表示化する手段と、受信スペクトルを映像表示化する手段と、これら映像表示化信号のいずれかを選択し、圧縮符号化して他の受信段に伝送する手段を有することを特徴とする伝送システム。
【請求項４】
請求項１乃至３記載の伝送システムにおいて、上記映像表示化手段個々は、それぞれ対応するＩＤ情報を出力映像表示化信号に付与する機能を有することを特徴とする伝送システム。
【請求項５】
請求項１乃至４記載の伝送システムにおいて、上記他の受信段に、上記所定の受信中継段における圧縮符号化された映像表示化信号の選択、伝送を遠隔制御する手段を有することを特徴とする伝送システム。
【発明の詳細な説明】
【技術分野】
【０００１】
本発明は、デジタル方式ＦＰＵ(Field Pickup Unit)における受信基地局(受信中継段)の遠隔制御と監視に関するものである。
【背景技術】
【０００２】
近年、デジタル方式ＦＰＵでの映像伝送が行われている。  図６は、素材となる映像を受信基地局(中継地点)経由でデジタル伝送するシステムのプロック図である。  取材現場であるＡ地点から受信基地局のあるＢ地点、そして、本社(放送局)等、最終受信段であるＣ地点への映像の多段中継伝送を想定する。
Ａ地点での動作は以下となる。  カメラ１からのＨＤＴＶ映像信号（例えば、１．２Ｇ／ｂｉｔ）は、ＭＰＥＧ−２エンコーダ(ＥＮＣ)２にて圧縮処理が行われ、６０Ｍｂｐｓ程度のトランスポートストリーム(ＴＳｔ)信号となる。  このＴＳｔ信号は、ＯＦＤＭ−変調部(ＭＯＤ)３により、例えば、７ＧＨｚのマイクロ波の送信信号Ｔｘとなり、アンテナ４から送信される。
【０００３】
中継段であるＢ地点の動作は以下となる。受信アンテナ５で受信した電波は、ＯＦＤＭ−復調部(ＤＥＭ)６によってＴＳｒ信号に復調される。  このＴＳｒ信号は、第２の伝送経路の送信であるＱＡＭ−変調部(ＭＯＤ)８によって、例えば、１０ＧＨｚのマイクロ波の送信信号として、アンテナ９から送信される。  なおＢ地点には、ＯＦＤＭ−ＤＥＭ６のチャンネル制御やアンテナ方向を調整するためのコントロール装置(ＣＯＮＴ−Ｒ)１０がある。
Ｃ地点の動作は以下となる。  受信アンテナ１１によって、受信した１０ＧＨｚの信号は、ＱＡＭ−ＤＥＭｌ２により、６０ＭｂｐｓのＴＳ信号に戻り、ＭＰＥＧ２−デコーダ(ＤＥＣ)１４によってＨＤＴＶ映像出力となり、放送等に使用される。  なおＣ地点にはＢ地点の機器やアンテナを操作するためのコントローラ(ＣＯＮＴ−Ｔ)１３及びアンテナの方向等を示す表示器１５がある。
【０００４】
従来のアナログＦＭ伝送の場合、ＳＤＴＶの伝送のみ可能であり、ＨＤＴＶの場合は、伝送にはＯＦＤＭやシングルＱＡＭ等のデジタル伝送が不可欠である。しかし、アナログ伝送の場合は、伝送路での影響は受信した映像に如実に現われる。  例えば、受信電界が不十分な場合は砂嵐、異常な反射波が混入すると、映像の二重表示となった。
これに対し、デジタル伝送の場合は、多少の伝送路での乱れはエラー訂正処理によって解消する。しかし、エラーを完全に訂正できなくなる限界に達すると、動画像はいきなり停止してしまう。
【特許文献１】特開２００２−９４４８１号公報
【発明の開示】
【発明が解決しようとする課題】
【０００５】
従来のデジタル伝送では、受信限界に達するまでは、伝送路での影響が受信した映像に現われないため、受信電界、ビットエラーレート、反射波の混入状況(遅延プロファイル)等、各種の受信状態情報を、適切に(十分な解像度と更新速度で)、受信基地局や放送局に伝送し、表示することが困難であった。
また、複数の受信状態を映像表示化する場合に、機器の誤動作等で画面選択が不能となる可能性があり、その場合は重大な判断ミスを引き起こす懸念がある。
本発明は、これらの欠点を除去し、受信中継段での受信状態を映像表示化し、その情報を画像圧縮して他の受信段に適切に伝送し、表示することのできる伝送システムの実現を目的とする。また、どの系統からの映像表示化信号であるかを示すＩＤを表示することのできる伝送システムの実現を目的とする。
【課題を解決するための手段】
【０００６】
本発明は上記目的を達成するため、デジタル化した映像信号を少なくとも１段中継して伝送するデジタル伝送システムにおいて、所定の受信中継段に、当該受信中継段における受信状態を映像表示化する手段と、該受信状態映像表示化信号を圧縮符号化し他の受信段に伝送する手段を設け、上記他の受信段に、伝送された上記圧縮符号化された映像情報を復号し、該復号化した映像情報を表示する手段を有する伝送システムである。
また、所定の受信中継段は、複数系統からの伝送信号を受信、選択する手段と、各系統の受信状態を映像表示化する手段と、選択された当該映像表示化信号を圧縮符号化し他の受信段に伝送する手段を有するものである。
また、所定の受信中継段は、当該受信中継段における受信状態を映像表示化する手段と、受信スペクトルを映像表示化する手段と、これら映像表示化信号のいずれかを選択し、圧縮符号化して他の受信段に伝送する手段を有するものである。
さらに、映像表示化手段個々は、それぞれ対応するＩＤ情報を出力映像表示化信号に付与する機能を有するものである。
また、他の受信段は、所定の受信中継段における圧縮符号化された映像表示化信号の選択、伝送を遠隔制御する手段を有するものである。
その結果、アナログ伝送に比べ、受信映像には現われない劣化を別ルートの系で詳細に観察可能である。
また、複数の受信機器を選択切換えても、各系統に対応したＩＤが予め重畳されているため、コントロール系の異常が生じても、観測している系統を誤認しない。
【発明の効果】
【０００７】
以上説明したように本発明によれば、受信地点での受信状態を映像表示化し、その情報をＭＰＥＧ４等を用いて画像圧縮し、その情報を他の受信地点に伝送しているため、各種の受信状態情報を、適切に(十分な解像度と更新速度で)、受信基地局や放送局に伝送し、表示することができる。
【発明を実施するための最良の形態】
【０００８】
図１に本発明の一実施例のブロック構成を示し、以下に説明する。  本発明は、図６の従来例に、遅延プロファイル(ＰＦ)器７−１、ＭＰＥＧ−４エンコーダ(ＥＮＣ)７−２Ｅを中継点であるＢ地点に追加する。  放送局等のあるＣ地点には、ＭＰＥＧ−４デコーダ(ＤＥＣ)７−２Ｄを追加し、表示器１５を重畳機能付表示器１５ｂに置換する。
Ｂ地点のＯＦＤＭ−ＤＥＭ６の受信状態は、遅延ＰＦ器７−１により、映像表示されるため、その映像信号をＭＰＥＧ−４ＥＮＣ７−２Ｅに入力し、符号化する。  その結果、例えば、３８４ｋｂｐｓ程度の低レート信号となり、通信回線もしくは携帯電話の動画像回線を利用し、容易に伝送できる。
【０００９】
図２に本発明の第２の実施例のブロック構成を示し、以下説明する。  これは、図１の構成において、中継点であるＢ地点に、Ａ地点と別の撮影現場等のＺ地点からの映像を受けるアンテナ５Ｂ、ＯＦＤＭ−ＤＥＭ６Ｂ、遅延ＰＦ器７−１Ｂ，７−１Ｃ、映像切換器(ＳＥＬ)７−４を設け、コントローラ(ＣＯＮＴ−Ｒ)１０を、Ａ系統、Ｚ系統用の２台の受信機と映像切換器７−４を制御するＣＯＮＴ−Ｒ１０Ｂに置換する。
Ｃ地点では、コントローラ(ＣＯＮＴ−Ｔ)１３を、受信機２台と映像切換器７−４を制御するＣＯＮＴ−Ｒ１０Ｂを遠隔制御するＣＯＮＴ−Ｔ１３Ｂに置換する。
これによって、Ｃ地点でのＣＯＮＴ−Ｔ１３Ｂの操作に応じて、Ｂ地点のＣＯＮＴ−Ｒ１０Ｂを介して映像切換器７−４が切換えられ、操作に応じた系統の伝送状態がＣ地点で観測可能となる。即ち、映像切換器７−４で切換えられた遅延ＰＦ器７−１Ｂ出力または７−１Ｃ出力は、ＭＰＥＧ−４ＥＮＣ７−２Ｅで符号化後、伝送され、ＭＰＥＧ−４ＤＥＣ７−２Ｄで受信、復号化され、表示器１５ｂに、操作に応じた系統の伝送状態が、表示される。
さらに、Ｚ系統用の遅延ＰＦ器７−１Ｂ、Ａ系統用の遅延ＰＦ器７−１Ｃに、予め対応するＩＤを表示するための機能を付与しておくことにより、Ｃ地点での選択に応じ、表示器１５ｂに、対応する系統のＩＤが表示できる。
【００１０】
図３に本発明の第３の実施例のブロック構成を示し、以下説明する。  これは、図１の構成に、スペクトラムアナライザ(スペアナ)７−５と、映像切換器７−４を追加し、ＣＯＮＴ−Ｒ１０を映像切換器７−４を制御するＣＯＮＴ−Ｒ１０Ｂに置換したものである。
Ｃ地点でのＣＯＮＴ−Ｔ１３Ｂの操作に応じて、Ｂ地点のＣＯＮＴ−Ｒ１０Ｂを介して映像切換器７−４が切換えられ、スペアナ７−５出力または遅延ＰＦ器７−１Ｃ出力が、ＭＰＥＧ−４ＥＮＣ７−２Ｅで符号化後、伝送され、Ｃ地点のＭＰＥＧ−４ＤＥＣ７−２Ｄで受信、復号化され、表示器１５ｂにスペアナ７−５による受信スペクトルまたは遅延ＰＦ器７−１Ｃによる遅延プロファイル(ＰＦ)の伝送状態が表示される。
図４に、遅延ＰＦ画面を重畳した表示器１５ｂの表示イメージを示す。  図５に、遅延ＰＦ画面、もしくはスペアナを切換選択し重畳した表示器１５ｂの表示イメージを示す。
ここで、ＭＰＥＧ−４による映像圧縮は解像度が低いため、遅延ＰＦの表示内容は画素を４サンプル単位とし、表示する線や文字を太く、かつ大きく表示する。  また、表示に使用する色の種類が増加するとＭＰＥＧ−４での圧縮効率が低下するため、単色の表示が有利である。
【００１１】
なお、本実施例では、伝送状態等の受信情報の伝送に、ＭＰＥＧ−４を利用したネットワーク装置を利用した構成で説明したが、モーションＪＰＥＧ等でも可能である。また、この伝送回線としてＱＡＭ−ＭＯＤ８とＱＡＭ−ＤＥＭ１２の補助データ回線を利用しても良い。
また、２系統の映像の同期周期が異なっている場合に、映像の切り換えを行った場合、ＭＰＥＧ−４ＥＮＣ７−２Ｅの再度の正常動作に時間を要すため、スペアナ７−５や遅延ＰＦ器７−１Ｂの映像信号を、遅延ＰＦ器７−１Ｃの外部同期に入力しておく。
以上説明した様に、複数の受信状態を映像表示化する場合に、選択した系統のＩＤを、予め重畳しておくことにより、Ｃ地点において、選択された受信状態の映像表示に応じたＩＤを表示することができる。
また、複数の受信機器を選択、切換えても、選択された系統に対応したＩＤが予め重畳されているため、コントロール系の異常が生じても、観測している系統を誤認することがなくなる。
【図面の簡単な説明】
【００１２】
【図１】本発明の伝送システムにおける第１の実施例の構成を示すブロック図
【図２】本発明の伝送システムにおける第２の実施例の構成を示すブロック図
【図３】本発明の伝送システムにおける第３の実施例の構成を示すブロック図
【図４】本発明の伝送システムにおける表示器の受信状態の表示イメージを示す図
【図５】本発明の伝送システムにおける表示器の受信状態の表示イメージを示す図
【図６】従来の伝送システムの構成を示すブロック図
【符号の説明】
【００１３】
１：カメラ、２：ＭＰＥＧ−２エンコーダ(ＥＮＣ)、３：ＯＦＤＭ変調器(ＭＯＤ)、６：ＯＦＤＭ復調器(ＤＥＣ)、７−１，７−１Ｂ，７−１Ｃ：遅延ＰＦ器、７−２Ｅ：ＭＰＥＧ−４エンコーダ(ＥＮＣ)、７−２Ｄ：ＭＰＥＧ−４デコーダ(ＤＥＣ)、７−４：映像切換器(ＳＥＬ)、８：ＱＡＭ変調器(ＭＯＤ)、１０，１０Ｂ：コントローラ(ＣＯＮＴ−Ｒ)、１２：ＱＡＭ復調器(ＤＥＭ)、１３，１３Ｂ：コントローラ(ＣＯＮＴ−Ｔ)、１４：ＭＰＥＧ−２デコーダ(ＤＥＣ)。
【図１】
2005136764.tif 000003
【図２】
2005136764.tif 000004
【図３】
2005136764.tif 000005
【図４】
2005136764.tif 000006
【図５】
2005136764.tif 000007
【図６】
2005136764.tif 000008